(57)【要約】【課題】  通常動作時とアイドル時とで，出力同相電圧及び出力インピーダンスの変動が小さい通信用ケーブルモジュールを提供すること。【解決手段】  導電性ケーブルと、導電性ケーブルに接続される線形アンプと、導電性ケーブルの入力信号の有無を検波する検波器と、電流可変機能を有する第１の回路と、同相電圧調整機能を有する第２の回路とを具備しており、入力信号が無い時に、第１の回路の電流可変機能が線形アンプの出力電流を低減し、且つ、第２の回路の同相電圧調整機能が線形アンプの出力同相電圧を調整する通信用ケーブルモジュールが開示される。【選択図】図１
2018098566.tif 000002
【特許請求の範囲】
【請求項１】
導電性ケーブルと、
前記導電性ケーブルに接続される線形アンプと、
前記導電性ケーブルの入力信号の有無を検波する検波器と、
電流可変機能を有する第１の回路と、
同相電圧調整機能を有する第２の回路とを具備しており、
前記入力信号が無い時に、前記第１の回路の電流可変機能が前記線形アンプの出力電流を低減し、且つ、前記第２の回路の同相電圧調整機能が前記線形アンプの出力同相電圧を調整することを特徴とする通信用ケーブルモジュール。
【請求項２】
請求項１において、
前記第１の回路は、前記入力信号が無い時に、前記線形アンプの少なくとも一部の回路を代替するダミーアンプ回路で構成されることを特徴とする通信用ケーブルモジュール。
【請求項３】
請求項１において、
前記第２の回路は、前記線形アンプと所定の電位の間に挿入されており、負荷抵抗とスイッチを並列接続して構成されることを特徴とする通信用ケーブルモジュール。
【請求項４】
請求項１において、
前記第２の回路は、前記線形アンプと所定の電位の間に挿入されており、ON抵抗の大きいスイッチとON抵抗の小さいスイッチを並列接続して構成されることを特徴とする通信用ケーブルモジュール。
【請求項５】
請求項１において、
前記第２の回路は、前記線形アンプに供給する電圧を可変出来るレギュレータ回路で構成されることを特徴とする通信用ケーブルモジュール。
【請求項６】
請求項１において、
前記第１の回路は、前記線形アンプの電流源の電流値を可変する可変電流源で構成されることを特徴とする通信用ケーブルモジュール。
【請求項７】
請求項６において、
コモンモードフィードバック回路を具備しており、前記線形アンプの出力同相電圧が一定となるように、リファレンス電圧と前記出力同相電圧との差分を前記可変電流源にフィードバックすることを特徴とする通信用ケーブルモジュール。
【請求項８】
導電性ケーブルの伝送損失を補償する伝送損失補償回路であって、
前記導電性ケーブルに接続される線形アンプと、
前記導電性ケーブルの入力信号の状態を検出する検波器と、
前記線形アンプの電流を可変する機能を有する第１の回路と、
前記線形アンプの同相電圧を調整する機能を有する第２の回路とを具備しており、
前記検波器によって検出された前記入力信号の状態に応じて、前記第１の回路と前記第２の回路の動作モードを変更することを特徴とする伝送損失補償回路。
【請求項９】
請求項８において、
前記検波器により前記入力信号が検出されるときの通常モードと、前記検波器により前記入力信号が検出されないときのアイドルモードの２つのモード間の変更が可能であり、
前記通常モードにおいては、前記第１の回路により前記線形アンプに第１の電流を供給するとともに、前記第２の回路により前記線形アンプの同相電圧を第１の電位に制御し、
前記アイドルモードにおいては、前記第１の回路により前記線形アンプに前記第１の電流より小さい第２の電流を供給するとともに、前記第２の回路により前記線形アンプの同相電圧を前記第１の電位に制御することを特徴とする伝送損失補償回路。
【請求項１０】
請求項９において、
前記第１の回路は、前記第１の電流を供給する第１の電流源と、前記第２の電流を供給する第２の電流源を切り替える回路であることを特徴とする伝送損失補償回路。
【請求項１１】
請求項１０において、
前記線形アンプの少なくとも一部の構成を代替するダミーアンプ回路を備え、
前記アイドルモードにおいては、前記ダミーアンプ回路に前記第２の電流源が前記第２の電流を供給し、かつ、前記ダミーアンプ回路へは前記導電性ケーブルの入力信号とは別系統のダミー信号が入力されることを特徴とする伝送損失補償回路。
【請求項１２】
請求項９において、
前記第１の回路は、可変電流源であることを特徴とする伝送損失補償回路。
【請求項１３】
請求項１２において、
前記線形アンプの出力同相電圧が一定となるように前記可変電流源にフィードバックをかける、コモンモードフィードバック回路を有することを特徴とする伝送損失補償回路。
【請求項１４】
請求項９において、
前記線形アンプは、第１の電位と第２の電位の間に配置されており、
前記第２の回路は、前記第１の電位と前記線形アンプの間に配置されて、前記第１の電位と前記線形アンプの間の抵抗値を切り替える回路であり、
前記第２の回路は、前記アイドルモードにおいて、前記通常モードにおけるよりも、前記第１の電位と前記線形アンプの間の抵抗値を大きくすることを特徴とする通信用ケーブルモジュール。
【請求項１５】
請求項９において、
前記線形アンプは、第１の電位と第２の電位の間に配置されており、
前記第２の回路は、前記第１の電位と前記線形アンプの間に配置されたレギュレータ回路であり、
前記レギュレータ回路は、前記線形アンプに供給する電圧を制御すること特徴とする通信用ケーブルモジュール。
【発明の詳細な説明】
【技術分野】
【０００１】
本発明は，通信用ケーブルモジュールに関わり，特に動作時とアイドル時とで出力同相電圧及び出力インピーダンスの変動が小さいケーブルモジュールに関するものである。
【背景技術】
【０００２】
特許文献１は，負荷抵抗と電源(GND)間にスイッチを接続し，動作時とアイドル時でスイッチのON/OFFを切り替える事によりアイドル時の電流を低減する技術について記載された文献である。
【先行技術文献】
【特許文献】
【０００３】
【特許文献１】特開２００９−４９６７２号公報
【発明の概要】
【発明が解決しようとする課題】
【０００４】
例えばデータセンターのラック内，ラック間通信向けに電気伝送ケーブルモジュール(ダイレクトアタッチケーブル(DAC: Direct Attach Cable)とも呼称される)を用いた場合，伝送速度が増加すると，高周波帯での伝送損失が大きくなる為，伝送距離が短くなる。その為近年では，電気ケーブルモジュール内に伝送損失補償用のCTLE IC(Continuous Time Linear Equalizer Integrated Circuit)を実装する事で，長距離伝送を可能とするACC(Active Copper Cable)モジュールが開発，製造されている。ACCモジュールは，信号が無入力の時，消費電力を低減し且つ,接続対象装置内のホストICを誤動作させるような不要波を出力しない為に，アイドル状態に遷移する事が望まれる。
【０００５】
上記した特許文献１では，動作時とアイドル時に遷移する時に負荷抵抗と電源間に接続されたスイッチをON/OFFする方法が示されている。一般にACCの入出力端に接続されるホストICは，高速な信号処理を可能とする微細なCMOSプロセスで製造される為，耐圧が低い。一方で，ACCモジュール内に実装されるCTLE ICは線形性とコストを重視して，微細なCMOSプロセスの耐圧を遥かに超える3.3V電源を印加可能なBiCMOSプロセスで製造される。その為，特許文献１の方法でアイドルや通常動作に遷移すると，受信用ホストICの動作レンジを超える大振幅の同相パルス信号が生成され，受信用ホストICで正しくデータを受け取れず，結果としてホスト間で通信速度が低下するという課題がある。更に振幅レベルが大きいと最悪の場合，受信用ホストICが破壊される。
【０００６】
また，特許文献１の方法でアイドルや通常動作に遷移すると，出力インピーダンスが，例えば差動100ohmから解放端に大きく変動する為，複数本の伝送用ケーブルを束ねて形成される多対伝送用ケーブルモジュールの場合では，伝送用ケーブル間のクロストークが大幅に変動し，他レーンの通信品質が劣化するという課題がある。
【０００７】
そこで，本発明の目的は上記課題を解決する為に，通常動作時とアイドル時とで，出力同相電圧及び出力インピーダンスの変動が小さい通信用ケーブルモジュールを提供する事にある。
【課題を解決するための手段】
【０００８】
本発明の一側面は、導電性ケーブルと、導電性ケーブルに接続される線形アンプと、導電性ケーブルの入力信号の有無を検波する検波器と、電流可変機能を有する第１の回路と、同相電圧調整機能を有する第２の回路とを具備しており、入力信号が無い時に、第１の回路の電流可変機能が線形アンプの出力電流を低減し、且つ、第２の回路の同相電圧調整機能が線形アンプの出力同相電圧を調整する通信用ケーブルモジュールである。
【０００９】
本発明の他の一側面は、導電性ケーブルの伝送損失を補償する伝送損失補償回路であって、導電性ケーブルに接続される線形アンプと、導電性ケーブルの入力信号の状態を検出する検波器と、線形アンプの電流を可変する機能を有する第１の回路と、線形アンプの同相電圧を調整する機能を有する第２の回路とを具備しており、検波器によって検出された入力信号の状態に応じて、第１の回路と第２の回路の動作モードを変更する伝送損失補償回路である。
【発明の効果】
【００１０】
本発明によれば、通常動作時とアイドル時とで，出力同相電圧及び出力インピーダンスの変動が小さい通信用ケーブルモジュールを提供出来る。
【図面の簡単な説明】
【００１１】
【図１】本発明に係る通信用ケーブルモジュールの第１の実施形態を説明するための構成図。
【図２】本発明に係る通信用ケーブルモジュールの第２の実施形態を説明するための構成図。
【図３】本発明に係る通信用ケーブルモジュールの第３の実施形態を説明するための構成図。
【図４】本発明に係る通信用ケーブルモジュールの第４の実施形態を説明するための構成図。
【図５】実施例の効果を説明するための図。
【図６】本発明に係る通信用ケーブルモジュールの第５の実施形態を説明するための構成図。
【図７】本発明に係る通信用ケーブルモジュールの第６の実施形態を説明するための構成図。
【発明を実施するための形態】
【００１２】
以下に説明する発明の構成において、同一部分又は同様な機能を有する部分には同一の符号を異なる図面間で共通して用い、重複する説明は省略することがある。
【００１３】
実施例の代表的なものの概略を示せば以下の通りである。即ち、本実施例の通信用ケーブルモジュールは，導電性ケーブルとして例えば銅線や銀線等からなるケーブルと、ケーブルロスを等化する為の線形アンプと，入力信号の有無を検波する検波器と，電流可変機能と，同相電圧調整機能とを具備しており，入力信号が無い時に，電流可変機能が線形アンプの電流を低減し，且つ同相電圧調整機能が線形アンプ出力同相電圧を一定にする。
【実施例１】
【００１４】
図１で本発明の第１の実施例を説明する。図１に示す通信用ケーブルモジュール113は，ACCであり，入力端子102a,102b,ACカップル容量103a,103b,銅線ケーブル104a,104b, CTLEアンプ105,検波器106,電流可変機能107, 同相電圧調整機能108，線形アンプ109，出力端子110a,110bを含んで構成されている。通信用ケーブルモジュール113は，送信用ホストIC101とACカップル容量111a,111b及び受信用ホストIC112との間に挿入され，ホストIC間の通信を媒介する通信用ケーブルモジュールとして用いられる。
【００１５】
送信用ホストIC101から送信された差動信号は，入力端子102a,102bからケーブルモジュールに入力され，その後，送信用ホストIC101とCTLEアンプ105の動作電圧を切り分ける為のACカップル容量103a,103bを介して銅線ケーブル104a,104bに入力される。
【００１６】
銅線ケーブル104a,104bは送信用ホストIC101とインピーダンス整合が取られており，反射による損失は十分小さい。銅線ケーブル104a,104bから出力された差動信号は，ケーブル損失により，高周波成分の振幅が小さくなっている。銅線ケーブル104a,104bから出力された差動信号はその後，CTLEアンプ105に入力される。
【００１７】
CTLEアンプ105はケーブル損失の逆特性を有するCTLEアンプであり，高周波成分の振幅を増幅する事で，前記差動信号は送信用ホストIC101の出力と近い波形となるように波形等化される。CTLEアンプ105から出力された差動信号は，出力バッファ用の線形アンプ109に入力される。
【００１８】
線形アンプ109は，受信用ホストIC112とインピーダンス整合が取られている。線形アンプ109から出力された差動信号は，出力端子110a,110bを通過後，線形アンプ109と受信用ホストIC112の動作電圧を切り分ける為のACカップル容量111a,111bを介して受信用ホストIC112に入力される。以上のように通信用ケーブルモジュール113は，銅線ケーブル104a,104bのケーブル損失をCTLEアンプ105で等化する事で，送信用ホストIC101と受信用ホストIC112の間での長距離伝送を可能とする。
【００１９】
ここで，送信用ホストIC101が信号を出力していない時には，通信用ケーブルモジュール113はアイドルモードに遷移する。アイドルモード遷移の目的は，線形アンプ109の電流を小さくして消費電力を低減する事と，線形アンプ109のAC利得を下げて，例えばケーブルの抜き差し等で発生する不要波が受信用ホストIC112に入力され，ホスト間の通信が誤動作する事を防ぐことにある。以下では，図１に示す通信用ケーブルモジュール113が通常動作時とアイドル時に遷移する時の動作を説明する。
【００２０】
CTLEアンプ105からの出力は線形アンプ109とは別に検波器106に接続されており，検波器106は常時，CTLEアンプ105の出力電力をモニタする。検波器106は，通信用ケーブルモジュール113に信号が入力されていると判断した時は，電流可変機能107及び同相電圧調整機能108に通常動作用の信号を出力する。
【００２１】
通常動作用の信号を入力された電流可変機能107及び同相電圧調整機能108は，線形アンプ109の電流値と出力コモン電位が受信用ホストIC112へ信号を出力する為に最適となるように，線形アンプ109に電流と電圧をそれぞれ供給する。
【００２２】
一方，送信用ホストIC101が信号を出力していない時は，検波器106は通信用ケーブルモジュール113に信号が入力されていないと判断し，電流可変機能107及び同相電圧調整機能108にアイドル動作用の信号を出力する。アイドル動作用の信号を入力された電流可変機能107は，線形アンプ109の電力が通常動作時よりも低減するように，通常動作時よりも少ない電流を線形アンプ109に供給する。
【００２３】
線形アンプの電流を大幅に低減すると通常は出力同相電圧が大きく変動し，前述したようにパルス信号が生成され，送信用ホストIC101と受信用ホストIC112間の通信を阻害する要因となるだけではなく，パルス信号の電圧が大きい場合は，耐圧の低い受信用ホストIC112を破壊してしまう。このようなパルス信号が生成されないように，電圧調整機能108は，線形アンプ109の電流低減に合わせて，出力同相電圧が通常動作時の電圧に近づくように、あるいは、出力同相電圧が通常動作時と等しくなるように，線形アンプ109に適切な電圧を供給する。
【００２４】
ここでCTLEアンプ105は，例として2段構成として図示したが，何段でも良く，また検波器106は初段のCTLEアンプ出力と接続されても良い。また同様に線形アンプ109も複数段のアンプ構成としても良い。
【００２５】
以後は，電流可変機能107, 同相電圧調整機能108，線形アンプ109の具体的な回路構成例について説明する。
【実施例２】
【００２６】
図２で本発明の第2の実施例を説明する。図２に示す通信用ケーブルモジュールは，ACCであり，入力端子102a,102b,ACカップル容量103a,103b,銅線ケーブル104a,104b, CTLEアンプ105,検波器106,電流可変機能107, 同相電圧調整機能108，線形アンプ109，出力端子110a,110bを含んで構成されている。
【００２７】
線形アンプ109は一般的な差動カスコードアンプであり，抵抗203a,203b,207a,207b,スイッチ204,209,増幅用トランジスタ205a,205b,カスコードトランジスタ206a,206b,電流源208を含んで構成される。CTLEアンプ105の出力は，増幅用トランジスタ205a,205bのベースに入力される。増幅用トランジスタ205a,205bは，エミッタ側で線形性を向上する為の抵抗207a,207bと接続される。207a,207bは，線形アンプ109が線形動作する為に必要な電流を供給する電流源208と接続される。電流源208は，スイッチ209を介して接地(GND)される。また，増幅用トランジスタ205a,205bのコレクタ側は，高周波特性を改善させる為のカスコードトランジスタ206a,206bと接続される。カスコードトランジスタ206a,206bのコレクタ側は，電流を電圧に変換する為の負荷抵抗203a,203bと，出力端子110a,110bとに接続される。カスコードトランジスタ206a,206bのベースにはスイッチ204を介して，カスコードトランジスタ206a,206bが動作する最適な一定電圧v_casが供給される。抵抗203a,203bは，同相電圧調整機能108と接続される。
【００２８】
同相電圧調整機能108は，スイッチ201と抵抗202とが並列接続されて構成される。スイッチ201は，例えばサイズの大きなPMOSトランジスタで構成され，抵抗202よりもON抵抗が遥かに小さい。スイッチ201と抵抗202とが並列接続されているが，一方は線形アンプ109と，もう一方は電源(VCC)と接続される。
【００２９】
電流可変機能107は，線形アンプ109のダミー回路であり，スイッチ210,213,215,ダミー増幅用トランジスタ212a,212b,カスコードトランジスタ211a,211b,電流源214を含んで構成される。
【００３０】
ダミー増幅用トランジスタ212a,212bは，エミッタ側で非常に小さい電流を流す電流源214と接続される。電流源214は，スイッチ215を介して接地(GND)される。ダミー増幅用トランジスタ212a,212bのベースには，スイッチ213を介して電流可変機能107が動作する為に最適な電圧値v_dummyが印加される。一方，ダミー増幅用トランジスタ212a,212bのコレクタには，カスコードトランジスタ211a,211bが接続され，カスコードトランジスタ211a,211bのコレクタは，線形アンプのカスコードトランジスタ206a,206bのコレクタと接続される。カスコードトランジスタ211a,211bのベースにはスイッチ210を介して，カスコードトランジスタ211a,211bが動作する最適な一定電圧v_casが供給される。
【００３１】
通信時に差動信号が入力端子102a,102bに入力され，出力端子110a,110bから出力されるまでの基本動作は実施例1と同様であり省略する。ここでは，通常動作時とアイドル動作時の回路動作について説明する。
【００３２】
【表１】
2018098566.tif 000003
【００３３】
表１に，通常時とアイドル時のスイッチの状態を示す。通常時は，スイッチ201,204,209がONし，スイッチ210,213,215がOFFする。その為，電流可変機能107は動作せず，高周波特性には一切影響を与えない。一方，線形アンプ109は，CTLEアンプ105から入力される信号を，増幅し出力端子110a,110bに出力する。この時，同相電圧調整機能108は，ON抵抗の非常に小さいスイッチ201がONしており，線形アンプ109には，ほぼ電源電圧(VCC)と等しい電圧が印加される。その為，通常時の出力同相電圧VCM_Normalは，電流源208の電流値をI_Normal，抵抗203a,203bの抵抗値をRload，スイッチ201のON抵抗をR_Normalとすると，(1)式で表わされる。
【００３４】
VCM_Normal = VCC − I_Normal × R_Normal − I_Normal/2 × Rload  ・・・  (1)
一方，アイドル時は，スイッチ201,204,209がOFFし，スイッチ210,213,215がONする。その為，線形アンプ109は動作せず，その為，入力端子102a,102bに入力される信号や雑音は，出力端子110a,110bに出力されない。代わりに，電流値の小さい電流源214を有する電流可変機能107が定電流源回路として動作し，通信用ケーブルモジュールの消費電力を低減する。またこの時，同相電圧調整機能108ではスイッチ201がOFFすることで抵抗202に電流が流れる為，通常時と同様に同相電圧が出力端子110a,110bに出力される。その為，アイドル時の出力同相電圧VCM_Idleは，電流源214の電流値をI_Idle，抵抗202の抵抗値をR_Idleとすると，(2)式で表わされる。
【００３５】
VCM_Idle = VCC − I_Idle × R_Idle − I_Idle/2 × Rload  ・・・  (2)
従って，通常動作時とアイドル時の出力同相電圧VCM_NormalとVCM_Idleが等しくなるように電流源214の電流値(I_Idle)と抵抗202の抵抗値(R_Idle)を設計する事で，通常動作時とアイドル時で，同相出力電圧を一定にする事が出来る。
【００３６】
更にこの時，線形アンプの出力負荷抵抗203a,203bは固定なので，出力インピーダンスが変動する事はない。その為，複数本の伝送用ケーブルを束ねて形成される多対伝送用ケーブルモジュールの場合であっても，伝送用ケーブル間のクロストークが大幅に変動し，他レーンの通信品質が劣化する事が無い。
【００３７】
なお，線形アンプ109は出力バッファ用のアンプとして示したが，増幅用トランジスタ205a,205bのエミッタ出力間に容量を接続したCTLEアンプ構成としても良い。
【００３８】
図５に、本発明の実施例の効果を確認する為に実施した回路シミュレーション結果を示す。時間応答波形501,502はアイドルから通常動作へ遷移した時に通信用ケーブルモジュール113から出力される時間応答波形であって，特にACカップル容量111a,111bの出力波形を示している。横軸は時間軸であり，シミュレーションでは0secでアイドル時から通常動作時に切り替えた。一方，縦軸では同相電圧値を示している。
【００３９】
ここで，時間応答波形501は従来例のように，電源と負荷抵抗間にスイッチを付けて，アイドル時にOFFする構成をシミュレートした時の同相電圧を示している。アイドルから通常動作に遷移する瞬間に，非常に大きなステップ信号が発生し，収束するまで約50 usec掛かっている。その為，前述した通信阻害や受信ホストICの破壊を引き起こす可能性がある。一方，時間応答波形502は，本実施例を適用した時の波形であるが，遷移時の同相電圧変動が非常に小さく，その為，通信阻害なく通信を開始出来る。
【実施例３】
【００４０】
図３で本発明の第3の実施例を説明する。図３に示す通信用ケーブルモジュールは，ACCであり，同相電圧調整機能108の構成以外は図２の実施例２と同じである。
【００４１】
第3の実施例における同相電圧調整機能108は，スイッチ301と302とが並列接続されて構成される。スイッチ301は例えばサイズの大きなPMOSトランジスタで構成され，ON抵抗が小さい。一方，スイッチ302は例えばサイズの小さいPMOSトランジスタで構成され，ON抵抗が大きい。従って，実施例２の抵抗202をスイッチ302と見立てれば，同一の回路と見なす事が出来る。各スイッチの制御としては，通常時は，スイッチ301,204,209がONし，スイッチ302,210,213,215がOFFする。アイドル時は，スイッチ301,204,209がOFFし，スイッチ302,210,213,215がONする。回路動作の説明は省略する。
【００４２】
本実施例によれば，同じ素子で同相電圧調整機能108を構成している為，実施例２に対して素子ばらつきに対する耐性が高い。
【実施例４】
【００４３】
図４で本発明の第4の実施例を説明する。図４に示す通信用ケーブルモジュールは，ACCであり，同相電圧調整機能108の構成以外は実施例２と同じである。
【００４４】
第4の実施例における同相電圧調整機能108は，レギュレータ401によって構成される。ここで，レギュレータ401はいわゆる電源回路であり，オペアンプ等のシリーズレギュレータやPWM(Pulse Width Modulation：パルス幅変調)動作を行うスイッチングレギュレータ等で構成され，出力電圧を可変する機能を有する。通常動作時のレギュレータ401の出力電圧，すなわち線形アンプ109への供給電圧をVReg_Normal，電流源208の電流値をI_Normal，抵抗203a,203bの抵抗値をRloadとすると，通常時の出力同相電圧VCM_Normalは(3)式で表される。
【００４５】
VCM_Normal = VReg_Normal − I_Normal/2 × Rload  ・・・  (3)
一方，アイドル時のレギュレータ401の出力電圧をVReg_Idle，電流源214の電流値をI_Idleとすると，アイドル時の出力同相電圧VCM_Idleは(4)式で表される。
【００４６】
VCM_Idle = VReg_Idle − I_Idle/2 × Rload  ・・・  (4)
従って，通常動作時とアイドル時の出力同相電圧VCM_NormalとVCM_Idleが等しくなるようにレギュレータ401の出力電圧VReg_NormalとVReg_Idleを設計する事で，通常動作時とアイドル時とで，同相出力電圧は一定となる。
【００４７】
本実施例によれば，電源回路が用いられる為，実施例２に対してPSRR(Power Supply Rejection Ratio：電源電圧変動除去比)の改善が期待出来る。また，スイッチングレギュレータを使用し，線形アンプ109と電流可変機能107を低電圧で動作可能なように設計すれば，低消費電力化が期待出来る。
【実施例５】
【００４８】
図６で本発明の第5の実施例を説明する。図６に示す通信用ケーブルモジュールは，ACCであり，線形アンプ109の電流源が可変電流源608となっており，可変電流源608が電流可変機能107であると見なせば図２の実施例２と同じ構成である。可変電流源608は，通常動作時には線形アンプ109が線形動作する為に必要な電流を供給し，アイドル時には非常に小さい電流を供給するように動作する。スイッチの制御としては，通常時は，スイッチ201がONし，アイドル時は，スイッチ201がOFFする。
【００４９】
本実施例によればダミー回路がない為，実施例２に対して出力負荷の寄生容量が低減する事による広帯域化や小面積化が期待出来る。一方，駆動電流は小さいが，アイドル時にもトランジスタ205a,205b,206a,206bが動作している為，ケーブルモジュールに入力される微小な雑音を増幅して出力する可能性がある。その為，図示はしないが検波器106と線形アンプ109の間に，アイドル時にOFFするCTLEアンプを配置し，アイドル時の入出力間アイソレーションを強化しても良い。
【実施例６】
【００５０】
図７で本発明の第6の実施例を説明する。図７に示す通信用ケーブルモジュールは，ACCであり，抵抗704a,704b,コモンモードフィードバック (Common−Mode Feed−Back) 回路709が追加されている点以外は，実施例5と同じ構成である。
【００５１】
同相電圧を取り出す為の抵抗704a,704bは，負荷抵抗203a,203bとカスコードトランジスタ206a,206bの間と接続される。抵抗704a,704bの中点の出力同相電圧をコモンモードフィードバック回路709に入力し，図示はしないが設計したコモンモード電圧と比較する。出力同相電圧が前記コモンモード電圧と差分がある時，コモンモードフィードバック回路709は，前記差分が無くなる様に可変電流源708を制御する。
【００５２】
従って本実施例によれば，コモンモードフィードバック回路が出力同相電圧を一定とするようにフィードバックをかける為，出力コモンモード電圧の温度や電源電圧変動に対する感度を実施例5に対して低減できる。
【００５３】
本発明は上記した実施形態に限定されるものではなく、様々な変形例が含まれる。例えば、ある実施例の構成の一部を他の実施例の構成に置き換えることが可能であり、また、ある実施例の構成に他の実施例の構成を加えることが可能である。また、各実施例の構成の一部について、他の実施例の構成の追加・削除・置換をすることが可能である。
【符号の説明】
【００５４】
101…送信用ホストIC,102a,102b…入力端子,103a,103b…ACカップル容量,104a,104b…銅線ケーブル,105…CTLEアンプ,106…検波器,107…電流可変機能,108…同相電圧調整機能,109…線形アンプ,110a,110b…出力端子,111a,111b…ACカップル容量,112…受信用ホストIC,201…スイッチ,202…抵抗,203a,203b…抵抗,204…スイッチ,205a,205b…増幅用トランジスタ,206a,206b…カスコードトランジスタ,207a,207b…抵抗,208…電流源,209…スイッチ,210…スイッチ,211a,211b…カスコードトランジスタ,212a,212b…ダミー増幅用トランジスタ,213…スイッチ,214…電流源,215…スイッチ,301…スイッチ,302…スイッチ,401…レギュレータ,501…時間応答波形,502…時間応答波形,608…可変電流源,708…可変電流源,709…コモンモードフィードバック回路。
【図１】
2018098566.tif 000004
【図２】
2018098566.tif 000005
【図３】
2018098566.tif 000006
【図４】
2018098566.tif 000007
【図５】
2018098566.tif 000008
【図６】
2018098566.tif 000009
【図７】
2018098566.tif 000010